(57)【要約】      （修正有）【課題】ユーザーに煩雑な作業を生じさせることなく見やすい印刷物を得ることができる画像形成システムを提供する。【解決手段】画像形成システム２４において複合機制御部１２は、判断部と、ページ毎倍率設定部と、変倍画像データ生成部とを備える。判断部は、コンピューター４１から送信されたファイルの画像データに複数のページが含まれているか否かを判断する。ページ毎倍率設定部は、判断部により、ファイルの画像データに複数のページが含まれていると判断されれば、ページ毎に用紙の画像形成領域に応じた倍率を設定する。変倍画像データ生成部は、ページ毎倍率設定部により設定されたページ毎の倍率でファイルの画像データを変倍した変倍画像データを生成する。コンピューター４１に備えられる変倍画像データ反映部４７は、送信制御部により送信された変倍画像データをコンピューターハードディスク４６に記憶されたファイルの画像データに反映させる。【選択図】図２
2018056919.tif 000002
【特許請求の範囲】
【請求項１】
外部装置と、前記外部装置と通信可能であって、前記外部装置から送信されたファイルの画像データを基に、用紙に画像を形成する画像形成装置とを含む画像形成システムであって、
前記画像形成装置は、
画像を形成して用紙に印刷する画像形成部と、
前記外部装置から送信された前記ファイルの画像データに複数のページが含まれているか否かを判断する判断部と、
前記判断部により、前記ファイルの画像データに複数のページが含まれていると判断されれば、ページ毎に前記用紙の画像形成領域に応じた倍率を設定するページ毎倍率設定部と、
前記ページ毎倍率設定部により設定されたページ毎の倍率で前記ファイルの画像データを変倍した変倍画像データを生成する変倍画像データ生成部と、
変倍画像データ生成部により生成された前記変倍画像データを基に前記画像形成部により画像を形成するよう制御する画像形成制御部と、
前記変倍画像データを前記外部装置に送信するよう制御する送信制御部とを備え、
前記外部装置は、
前記ファイルの画像データを記憶する記憶部と、
前記送信制御部により送信された前記変倍画像データを前記記憶部に記憶された前記ファイルの画像データに反映させる変倍画像データ反映部を備える、画像形成システム。
【請求項２】
前記画像形成装置は、画像を読み取る画像読み取り部をさらに備え、
前記ページ毎倍率設定部は、前記画像読み取り部により読み取られた前記ファイルの画像データをそのまま印刷した印刷物の画像を基に、倍率を設定する、請求項１に記載の画像形成システム。
【請求項３】
前記ページ毎倍率設定部は、前記ページ内にある画像データに含まれる文字のフォントのサイズを変更して、倍率を設定する、請求項１または２に記載の画像形成システム。
【請求項４】
前記送信制御部は、前記ページ毎倍率設定部により設置された前記ページ毎の倍率のデータを前記外部装置に送信するよう制御し、
前記外部装置は、
前記ページ毎の倍率のデータを通知する通知部と、
前記通知部により通知された前記ページ毎の倍率の設定での前記画像データの変更を受け付ければ、前記変倍画像データ反映部を作動させる受け付け部とをさらに備える、請求項１〜３のいずれか１項に記載の画像形成システム。
【請求項５】
前記通知部は、各ページに設定された倍率も合わせて通知する、請求項４に記載の画像形成システム。
【請求項６】
前記外部装置および前記画像形成装置は、ネットワークで接続されている、請求項１〜５のいずれか１項に記載の画像形成システム。
【発明の詳細な説明】
【技術分野】
【０００１】
この発明は、画像形成システムに関するものである。
【背景技術】
【０００２】
複合機に代表される画像形成装置においては、画像読み取り部で原稿の画像を読み取った後、画像形成部に備えられる感光体に対して読み取った画像を基に光を照射し、感光体上に静電潜像を形成する。その後、形成した静電潜像の上に帯電したトナーを供給して可視画像とした後、用紙にトナーを転写して定着させ、装置外に出力する。
【０００３】
ここで、オフィスに設置される画像形成装置については、複数のユーザーで共用される観点から、ネットワークに接続されている。そして、各ユーザーの座席に設置されたコンピューターからネットワークを経由して、画像データの送信と共に印刷要求がなされる。そうすると、画像形成装置は、送信された画像データを基に画像を形成し、印刷を行う。このようなオフィスで使用される画像形成装置において、任意のサイズの原稿に対し、所定のサイズの転写用紙に合わせて変倍して出力する技術が、特開２００４−７２３７０号公報（特許文献１）に開示されている。
【０００４】
特許文献１に開示の画像形成装置は、任意のサイズの原稿を読み取り、所定のサイズの転写材に合わせて変倍する。特許文献１に開示の画像形成装置は、原稿の主走査方向及び副走査方向の長さデータを取得する手段と、転写材の主走査方向及び副走査方向の長さデータを取得する手段と、原稿と転写材の主走査方向の長さデータの比及び、原稿と転写材の副走査方向の長さデータの比を算出する手段と、前記算出した比がそれぞれ１か否かを判断する手段と、該手段が１でないと判断したとき、転写材の主走査方向及び副走査方向の長さデータに合致するように、原稿の主走査方向及び副走査方向の長さデータを変倍する手段を備えたことを特徴としている。
【先行技術文献】
【特許文献】
【０００５】
【特許文献１】特開２００４−７２３７０号公報
【発明の概要】
【発明が解決しようとする課題】
【０００６】
例えば、ワードファイルやエクセルファイル等で作成した複数のページに亘るファイルの画像データを画像形成装置に送信して印刷しようとするとき、所定のサイズ、例えば、Ａ４サイズやＢ４サイズの印刷用紙の描画領域に収まるように、画像を縮小したり、拡大したりして印刷を行う場合がある。ここで、縮小や拡大における倍率については、複数のページのうち、最も縦方向の長さが長いページまたは最も横方向の長さが長いページに対して設定される。
【０００７】
そうすると、複数のページのうちのあるページによっては、ページに割り当てられる元の画像が小さいにも関わらず、さらに小さく縮小されてしまう場合やさほど大きく拡大されない場合もあり、結果としてユーザーに見づらい印刷物となってしまう場合がある。すなわち、上記したように設定される倍率では、ユーザーが目で見て画像の内容を認識するには、不十分となる場合がある。
【０００８】
このようなことが想定される場合、ユーザーは、各ページに対してそれぞれ倍率を設定して印刷を行うことにより対応することができる。しかし、このような作業をユーザーに強いると、ユーザーの作業が煩雑となってしまう。特に大量のページがファイルに含まれている場合、その傾向が顕著となる。特許文献１に開示の技術では、このような場合に対応することができない。
【０００９】
この発明の目的は、ユーザーに煩雑な作業を生じさせることなく見やすい印刷物を得ることができる画像形成システムを提供することである。
【課題を解決するための手段】
【００１０】
この発明に係る画像形成システムは、外部装置と、外部装置と通信可能であって、外部装置から送信されたファイルの画像データを基に、用紙に画像を形成する画像形成装置とを含む。画像形成装置は、画像形成部と、判断部と、ページ毎倍率設定部と、変倍画像データ生成部と、画像形成制御部と、送信制御部とを備える。画像形成部は、画像を形成して用紙に印刷する。判断部は、外部装置から送信されたファイルの画像データに複数のページが含まれているか否かを判断する。ページ毎倍率設定部は、判断部により、ファイルの画像データに複数のページが含まれていると判断されれば、ページ毎に用紙の画像形成領域に応じた倍率を設定する。変倍画像データ生成部は、ページ毎倍率設定部により設定されたページ毎の倍率でファイルの画像データを変倍した変倍画像データを生成する。画像形成制御部は、変倍画像データ生成部により生成された変倍画像データを基に画像形成部により画像を形成するよう制御する。送信制御部は、変倍画像データを外部装置に送信するよう制御する。外部装置は、ファイルの画像データを記憶する記憶部と、変倍画像データ反映部とを備える。変倍画像データ反映部は、送信制御部により送信された変倍画像データを記憶部に記憶されたファイルの画像データに反映させる。
【発明の効果】
【００１１】
このような画像形成システムによると、ファイルのページ毎に、用紙の画像形成領域に応じて倍率を設定することとしている。そうすると、ファイル内のあるページにおいて、拡大率が不十分であったり、縮小しすぎるといったことがなくなり、各ページの画像をユーザーにとって見やすい適当な大きさとすることができる。この場合、印刷の元となるファイルの画像データに反映しているため、再度ファイルの画像データを用いて印刷する場合に、同様の印刷物を得ることができる。したがって、このような画像形成システムによれば、ユーザーに煩雑な作業を生じさせることなく見やすい印刷物を得ることができる。
【図面の簡単な説明】
【００１２】
【図１】この発明の一実施形態に係る画像形成装置を複合機に適用した場合の複合機を含む画像形成システムの外観を示す概略図である。
【図２】図１に示す画像形成システムの構成を示すブロック図である。
【図３】制御部の構成を示すブロック図である。
【図４】ユーザーがコンピューターに記憶されたファイルの画像データを用いて、複合機により画像を形成して用紙に印刷する場合の処理の流れを示すフローチャートである。
【図５】拡大率自動修正モードの受け付け画面が表示されたディスプレイの一例を示す図である。
【図６】送信されたファイルの画像データの一例を示す図である。
【図７】印刷された変倍画像データを示す図である。
【図８】用紙から読み取らせた画像データを元のファイルの画像データに反映させる場合を示す図である。
【発明を実施するための形態】
【００１３】
以下、この発明の実施の形態を説明する。図１は、この発明の一実施形態に係る画像形成装置を複合機１１に適用した場合の複合機１１を含む画像形成システム２４の外観を示す概略図である。図２は、図１に示す画像形成システム２４の構成を示すブロック図である。
【００１４】
図１および図２を参照して、画像形成システム２４は、画像形成装置としての複合機１１と、複合機１１とネットワーク２３を介して接続可能な外部装置としてのコンピューター４１とを含む。複合機１１とコンピューター４１とは通信可能であり、コンピューター４１は、ネットワーク２３を介して、複合機１１に対して印刷要求を行うことができる。
【００１５】
ここでまず、複合機１１の構成について説明する。複合機１１は、画像処理に関し、複写機能、プリンター機能、ファクシミリ機能等、複数の機能を有する。複合機１１は、複合機制御部１２と、操作部１３と、画像読み取り部１４と、画像形成部１５と、給紙カセット１６と、複合機ハードディスク１７と、ネットワーク２３と接続するためのネットワークインターフェース部１８とを備える。
【００１６】
複合機制御部１２は、複合機１１全体の制御を行う。なお、複合機制御部１２は、ＣＰＵ等から構成されており、一時的にデータを記憶する主記憶メモリ１９を含む。操作部１３は、複合機１１側から発信する情報やユーザーの入力内容を表示する表示部としてのタッチパネル型式の表示画面２１を含む。操作部１３は、印刷部数や階調等の画像形成の条件といった画像形成に関するユーザーからの入力を受け付ける。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または不図示の載置台上にセットされた原稿の画像を読み取る。もちろん、画像読み取り部１４は、複合機１１により印刷された印刷物の画像も、ＡＤＦ２２等にセットされれば読み取る。給紙カセット１６は、複数設けられており、それぞれ複数枚の用紙をその内部に収納することができる。画像形成部１５は、画像読み取り部１４により読み取られた原稿の画像データやネットワーク２３を介して送信された画像データを基に、給紙カセット１６等から搬送されてきた用紙に画像を形成する。複合機ハードディスク１７は、送信された画像データや入力された画像形成条件等、画像形成に関するデータを記憶する。
【００１７】
次に、複合機制御部１２の構成について説明する。図３は、複合機制御部１２の構成を示すブロック図である。図３を参照して、複合機制御部１２は、判断部３１と、ページ毎倍率設定部３２と、変倍画像データ生成部３３と、画像形成制御部３４と、送信制御部３５とを備える。判断部３１は、コンピューター４１から送信されたファイルの画像データに複数のページが含まれているか否かを判断する。ページ毎倍率設定部３２は、判断部３１により、ファイルの画像データに複数のページが含まれていると判断されれば、ページ毎に用紙の画像形成領域に応じた倍率を設定する。変倍画像データ生成部３３は、ページ毎倍率設定部３２により設定されたページ毎の倍率でファイルの画像データを変倍した変倍画像データを生成する。画像形成制御部３４は、変倍画像データ生成部３３により生成された変倍画像データを基に画像形成部１５により画像を形成するよう制御する。送信制御部３５は、変倍画像データをコンピューター４１に送信するよう制御する。これらの構成の詳細については、後に詳述する。
【００１８】
次に、コンピューター４１の構成について説明する。コンピューター４１には、ディスプレイ４２と、キーボード４３と、マウス４４とが接続されている。ディスプレイ４２により、コンピューター４１からの情報やデータが表示される。また、キーボード４３およびマウス４４を用いて、ユーザーは、ディスプレイ４２に表示される画面を確認しながら、コンピューター４１へのデータの入力を行う。
【００１９】
コンピューター４１は、コンピューター４１自身を制御するコンピューター制御部４５と、データを記憶するコンピューターハードディスク４６とを含む。コンピューターハードディスク４６は、ファイルの画像データ等、種々のデータを記憶する。コンピューター制御部４５は、変倍画像データ反映部４７を備える。変倍画像データ反映部４７は、送信制御部３５により送信された変倍画像データをコンピューターハードディスク４６に記憶されたファイルの画像データに反映させる。これらの構成の詳細についても、後述する。
【００２０】
次に、ユーザーがコンピューター４１に記憶されたファイルの画像データを用いて、複合機１１により画像を形成して用紙に印刷する場合について説明する。図４は、ユーザーがコンピューター４１に記憶されたファイルの画像データを用いて、複合機１１により画像を形成して用紙に印刷する場合の処理の流れを示すフローチャートである。
【００２１】
図４を参照して、ユーザーは、ネットワーク２３を介して複合機１１に接続されたコンピューター４１の設置している箇所に赴く。そして、コンピューター４１を利用して、コンピューターハードディスク４６に記憶されたファイルの画像データをコンピューター４１から複合機１１に送信し、印刷要求を複合機１１に対して行う。そうすると、複合機１１は、ファイルの画像データを受信し、印刷要求を受け付ける（図４において、ステップＳ１１、以下、「ステップ」を省略する）。ここで、ファイルの画像データに複数のページが含まれている場合、拡大率の自動修正モードをオンとするか否かの受け付けも同時に行う。
【００２２】
図５は、拡大率自動修正モードの受け付け画面が表示されたディスプレイ４２の一例を示す図である。図５を参照して、ディスプレイ４２には、「ファイルの画像データに複数のページが含まれている場合、拡大率自動修正モードをオンにしますか？」との問い合わせのメッセージ４８と、「はい」と示されており、その領域のマウス４４によるクリックを検知することにより、拡大率自動修正モードをオンにする選択ボタン４９ａと、「いいえ」と示されており、その領域のマウス４４によるクリックを検知することにより、拡大率自動修正モードをオフにする選択ボタン４９ｂとが表示されている。ユーザーは、選択ボタン４９ａをクリックして、複合機１１に対して、拡大率の自動修正モードをオンとした印刷要求を行う。
【００２３】
判断部３１は、コンピューター４１から送信されたファイルの画像データに複数のページが含まれているか否かを判断する（Ｓ１２）。この場合、ファイルの画像データが四つのページを含んでいるとする。すなわち、ファイルの画像データは、四枚のページに亘って形成されている。
【００２４】
図６は、送信されたファイルの画像データの一例を示す図である。図６中の左側において、ファイル５１を構成する画像データ５２を示し、図６中の右側において、ファイル５１の画像データ５２を従来のデフォルトの方法で印刷した場合を示している。なお、図６中の左側において、ページの境界は、一点鎖線で示している。
【００２５】
図６を参照して、ファイル５１の画像データ５２には、第一のページ５３ａと、第二のページ５３ｂと、第三のページ５３ｃと、第四のページ５３ｄとが含まれている。各ページ５３ａ〜５３ｄには、それぞれ画像データ５４ａ、５４ｂ、５４ｃ、５４ｄが形成されている。各画像データ５４ａ〜５４ｄについては、縦方向の長さよりも横方向の長さが長いものであり、それぞれの画像データ５４ａ〜５４ｄの横方向の長さは、長さＬ１、長さＬ２、長さＬ３、および長さＬ４で示されている。長さＬ１の長さが最も長く、長さＬ４の長さが最も短い。すなわち、画像データ５４ａ〜５４ｄのうち、画像データ５４ａの面積が最も大きく、画像データ５４ｄの面積が最も小さい。
【００２６】
このような画像データ５４ａ〜５４ｄが形成されている各ページ５３ａ〜５３ｄから構成されるファイル５１については、図６中の右側に示されているように、従来のデフォルトの方法で印刷がなされる。デフォルトの方法とは、最も大きい面積の画像データ５２ａの最も長い辺に、給紙カセット１６に収納された定型のサイズの用紙のうちの画像形成領域の長い辺を合わせるよう拡大して画像データ５４ａが変倍される。そして、変倍して生成された画像データ５７ａを基に画像形成部１５により画像が形成され、用紙５６ａに印刷される。この場合、長さＬ１に対して長さＬ５となるように拡大される。すなわち、拡大の比率は、Ｌ５／Ｌ１となる。
【００２７】
ここで、従来のデフォルトの方法であると、他のページ５３ｂ〜５３ｄの画像データ５４ｂ〜５４ｄについても、同様の拡大の比率で拡大されて印刷される。すなわち、変倍、この場合、拡大された画像データ５７ｂを基に画像形成部１５により画像が形成され、用紙５６ｂに印刷される。拡大された画像データ５７ｃを基に画像形成部１５により画像が形成され、用紙５６ｃに印刷される。拡大された画像データ５７ｄを基に画像形成部１５により画像が形成され、用紙５６ｄに印刷される。それぞれの拡大の比率Ｌ６／Ｌ２、比率Ｌ７／Ｌ３、比率Ｌ８／Ｌ４は、比率Ｌ５／Ｌ１と同じとなる。
【００２８】
このような構成であると、特に、最も小さい画像データ５７ｄについても、余白が多いにも関わらず、さほど拡大されていないため、文字が細かくて見づらく、ユーザーの望むものとは言えないものとなる。一方、ページ５３ａ〜５３ｄ毎に拡大率を設定するのは、ユーザーにとって煩雑な作業を強いることになる。
【００２９】
ここで、ページ毎倍率設定部３２は、判断部３１により、ファイルの画像データに複数のページが含まれていると判断され（Ｓ１２において、ＹＥＳ）、拡大率自動修正モードがオンになっていれば（Ｓ１３において、ＹＥＳ）、ページ毎に用紙の画像形成領域に応じた倍率を算出して設定する（Ｓ１４）。そして、変倍画像データ生成部３３は、ページ毎倍率設定部３２により設定されたページ毎の倍率でファイルの画像データを変倍した変倍画像データを生成する（Ｓ１５）。
【００３０】
具体的には、第一のページ５３ａの画像データ５４ａの横方向の長さＬ１に対して、用紙の最大の画像形成領域の最大長さを長さＬ５として拡大の比率を算出して設定する。この場合、拡大の比率は、Ｌ５／Ｌ１となる。第二のページ５３ｂについては、画像データ５４ｂの横方向の長さＬ２に対して、用紙の最大の画像形成領域の最大長さを長さＬ５として拡大の比率を算出して設定する。この場合、拡大の比率は、Ｌ５／Ｌ２となる。第三のページ５３ｃについては、画像データ５４ｃの横方向の長さＬ３に対して、用紙の最大の画像形成領域の最大長さを長さＬ５として拡大の比率を算出して設定する。この場合、拡大の比率は、Ｌ５／Ｌ３となる。第四のページ５３ｄについては、画像データ５４ｄの横方向の長さＬ４に対して、用紙の最大の画像形成領域の最大長さを長さＬ５として拡大の比率を算出して設定する。この場合、拡大の比率は、Ｌ５／Ｌ４となる。
【００３１】
第二〜第四のページ５３ｂ〜５３ｄに対するそれぞれの拡大の比率は、上記した図６の右側で示す場合のそれぞれの比率よりも大きいものとなる。すなわち、各ページ５３ａ〜５３ｄの画像データ５４ａ〜５４ｄが、用紙のそれぞれに対して、最大限に拡大した画像データとなる。
【００３２】
そして、このようにして生成された変倍画像データについて、印刷を行う（Ｓ１６）。図７は、印刷された変倍画像データを示す図である。図７中の左側において、ファイル５１を構成する画像データ５２を示し、図７中の右側において、変倍画像データを示す。
【００３３】
図７を参照して、図７中の右側には、用紙５８ａに印刷された変倍画像データ５９ａ、用紙５８ｂに印刷された変倍画像データ５９ｂ、用紙５８ｃに印刷された変倍画像データ５９ｃ、および用紙５８ｄに印刷された変倍画像データ５９ｄが図示されている。このような用紙５８ａ〜５８ｄが印刷物として出力される。
【００３４】
その後、送信制御部３５は、送信元、この場合はコンピューター４１に変倍画像データ５９ａ〜５９ｄを送信するよう制御する（Ｓ１７）。変倍画像データ５９ａ〜５９ｄを受信した後、変倍画像データ反映部４７は、送信された変倍画像データ５９ａ〜５９ｄをコンピューターハードディスク４６に記憶されたファイル５１の画像データ５２に反映させる（Ｓ１８）。このようにして処理を終了する。
【００３５】
このような画像形成システム２４によると、ファイルのページ毎に、用紙の画像形成領域に応じて倍率を設定することとしている。そうすると、ファイル内のあるページにおいて、拡大率が不十分であったり、縮小しすぎるといったことがなくなり、各ページの画像をユーザーにとって見やすい適当な大きさとすることができる。この場合、印刷の元となるファイルの画像データに反映しているため、再度ファイルの画像データを用いて印刷する場合に、同様の印刷物を得ることができる。したがって、このような画像形成システム２４によれば、ユーザーに煩雑な作業を生じさせることなく見やすい印刷物を得ることができる。
【００３６】
なお、ファイルの画像データに複数のページが含まれていない場合（Ｓ１２において、ＮＯ）や拡大率自動修正モードがオフになっている場合（Ｓ１３において、ＮＯ）、すなわち、図５に示すディスプレイ４２において選択ボタン４９ｂがクリックされた場合には、上記した従来のデフォルトの方法に沿い、最も大きい画像に応じて倍率を算出して設定し（Ｓ１９）、算出された倍率で変倍して各ページを印刷する（Ｓ２０）。すなわち、この場合、図６中の右側に示された画像データ５７ａ〜５７ｄがそれぞれ印刷された用紙５６ａ〜５６ｄが出力されることとなる。
【００３７】
また、例えば、拡大率の自動修正モードをオフにして画像を形成した場合、図６の右側に示す画像データ５７ａ〜５７ｄが印刷された用紙５６ａ〜５６ｄが出力される。この用紙５６ａ〜５６ｄを画像読み取り部１４により読み取らせて、元のファイル５１の画像データ５２を構成する各ページ５３ａ〜５３ｄの画像データ５４ａ〜５４ｄに反映させることとしてもよい。
【００３８】
図８は、用紙から読み取らせた画像データを元のファイルの画像データに反映させる場合を示す図である。図８中の左側において、失敗した用紙５６ａ〜５６ｄ、すなわち、拡大率自動修正モードを採用せずに印刷した場合を示している。このような画像データ５７ａ〜５７ｄが印刷された用紙５６ａ〜５６ｄをＡＤＦ２２にセットして、画像読み取り部１４により読み取らせる。そうすると、画像が形成された領域、図８中のハッチングで示された画像データ５７ａ〜５７ｄの領域が認識される。この認識された画像データ５７ａ〜５７ｄの領域から、各ページにおいて拡大率を算出して設定する。そして、変倍画像データを生成する。そうすると、図８中の右側に示す用紙５８ａ〜５８ｄに印刷される変倍画像データ５９ａ〜５９ｄが生成される。この変倍画像データ５９ａ〜５９ｄをコンピューター４１に送信する。変倍画像データ反映部４７は、送信された変倍画像データ５９ａ〜５９ｄをコンピューターハードディスク４６に記憶されたファイル５１の画像データ５２に反映させる。
【００３９】
このような構成によると、一旦、拡大率自動修正モードをオフにして印刷を行い、ユーザーが失敗したと感じたときに、失敗した画像を印刷した用紙５６ａ〜５６ｄを読み取らせて元のファイルの画像データに反映させることができる。そうすると、再びファイルを用いて印刷した場合に、印刷ミスをなくすことができる。すなわち、再び、画像データ５７ａ〜５７ｄが印刷された用紙５６ａ〜５６ｄが出力されずに済む。
【００４０】
なお、上記の実施の形態においては、ページ毎倍率設定部３２は、画像データ自体を拡大することとしたが、これに限らず、ページ毎倍率設定部３２は、ページ内にある画像データに含まれる文字のフォントのサイズを変更して、倍率を設定することとしてもよい。こうすることにより、よりユーザーの見やすい画像を形成することができる。
【００４１】
また、上記の実施の形態において、送信制御部３５は、ページ毎倍率設定部３２により設定されたページ毎の倍率のデータをコンピューター４１に送信するよう制御し、コンピューター４１は、ページ毎の倍率のデータを通知する通知部と、通知部により通知されたページ毎の倍率の設定での画像データの変更を受け付ければ、変倍画像データ反映部を作動させる受け付け部とをさらに備えることとしてもよい。こうすることにより、ユーザーの要望に応じて、変倍画像データを反映させることができる。この場合、通知部は、各ページに設定された倍率も合わせて通知するようにしてもよい。こうすることにより、倍率を、例えば、目で見て確認することができる。
【００４２】
なお、上記の実施の形態において、コンピューター４１と複合機１１とは、ネットワーク２３で接続されていることとしたが、これに限らず、例えばＮＦＣ（Ｎｅａｒ  Ｆｉｌｅｄ  Ｃｏｍｍｕｎｉｃａｔｉｏｎ）通信等、他の通信方法で接続可能に構成されていてもよい。
【００４３】
また、上記の実施の形態において、外部装置としてコンピューター４１を用いることとしたが、これに限らず、スマートフォンや携帯電話、タブレットＰＣといった携帯端末装置を外部装置として採用することとしてもよい。
【００４４】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４５】
この発明に係る画像形成システムは、ユーザーに煩雑な作業を生じさせることなく見やすい印刷物を得ることが要求される場合に、特に有効に利用される。
【符号の説明】
【００４６】
１１  複合機、１２  複合機制御部、１３  操作部、１４  画像読み取り部、１５  画像形成部、１６  給紙カセット、１７  複合機ハードディスク、１８  ネットワークインターフェース部、１９  主記憶メモリ、２１  表示画面、２２  ＡＤＦ、２３  ネットワーク、２４  画像形成システム、３１  判断部、３２  ページ毎倍率設定部、３３  変倍画像データ生成部、３４  画像形成制御部、３５  送信制御部、４１  コンピューター、４２  ディスプレイ、４３  キーボード、４４  マウス、４５  コンピューター制御部、４６  コンピューターハードディスク、４７  変倍画像データ反映部、４８  メッセージ、４９ａ，４９ｂ  選択ボタン、５１  ファイル、５２，５４ａ，５４ｂ，５４ｃ，５４ｄ，５７ａ，５７ｂ，５７ｃ，５７ｄ  画像データ、５３ａ，５３ｂ，５３ｃ，５３ｄ  ページ、５６ａ，５６ｂ，５６ｃ，５６ｄ，５８ａ，５８ｂ，５８ｃ，５８ｄ  用紙、５９ａ，５９ｂ，５９ｃ，５９ｄ  変倍画像データ。
【図１】
2018056919.tif 000003
【図２】
2018056919.tif 000004
【図３】
2018056919.tif 000005
【図４】
2018056919.tif 000006
【図５】
2018056919.tif 000007
【図６】
2018056919.tif 000008
【図７】
2018056919.tif 000009
【図８】
2018056919.tif 000010